(57)【要約】【課題】捕獲ケージ内に入った動物を落下式扉の落下による入口の遮断によって捕獲する箱罠として、捕獲ケージ内に子供や老人等が入り込み、誤って落下式扉が作動しても、容易に捕獲ケージ外へ脱出でき、閉じ込め事故を回避し得るものを提供する。【解決手段】捕獲ケージ１の側壁部１ｂに緊急脱出用扉３Ａを設ける。【選択図】図１
0003117757.tif 000002
【実用新案登録請求の範囲】
【請求項１】
箱型の捕獲ケージの入口に落下式扉を備え、該捕獲ケージ内に入った動物を落下式扉の落下による入口の遮断によって捕獲するようにした箱罠において、
前記捕獲ケージの側壁部に緊急脱出用扉が設けられていることを特徴とする箱罠。
【請求項２】
前記緊急脱出用扉がヒンジを介して前記捕獲ケージの本体に枢着されてなる請求項１記載の箱罠。
【請求項３】
前記緊急脱出用扉に前記捕獲ケージの本体に対して係脱するドアノブ型のロック具が設けられてなる請求項１又は２に記載の箱罠。
【請求項４】
前記緊急脱出用扉に前記捕獲ケージの本体に対して係脱する閂型のロック具が設けられてなる請求項１又は２に記載の箱罠。
【請求項５】
前記緊急脱出用扉は、その上辺部にヒンジが設けられ、該ヒンジを中心に上向きに開放するようになっている請求項１〜４のいずれかに記載の箱罠。
【請求項６】
前記緊急脱出用扉は、その下辺部にヒンジが設けられ、該ヒンジを中心に下向きに開放するようになっている請求項１〜４のいずれかに記載の箱罠。
【請求項７】
前記緊急脱出用扉は、その左右いずれかの側辺部にヒンジが設けられ、該ヒンジを中心に左右いずれか横向きに開放するようになっている請求項１〜４のいずれかに記載の箱罠。
【考案の詳細な説明】
【技術分野】
【０００１】
本考案は、イノシシやシカ等の大型の野性動物を捕獲する箱罠に関する。
【背景技術】
【０００２】
従来より、イノシシやシカ等を捕獲するのに箱罠が汎用されている。一般的に、この箱罠は、横長箱型の捕獲ケージの一端又は両端の入口に落下式扉を設けたものであり、捕獲ケージ内に入った動物が落下式扉の作動部分に触れた際、該落下式扉の係止が外れ、落下した扉で入口を遮断して動物を捕獲ケージ内に閉じ込めるようになっている。
【０００３】
ところが、このような箱罠は、山間部に限らず、動物が出没して害をなす人里近辺に設置されることも多いため、関係者が餌の取替えや点検等の作業で中に入る以外に、往々にして子供が入って遊んだり、無関係の者が興味本位で入ってあちこち触れ回ったりすることがあり、その際に誤って落下式扉の作動部分に触れて入口が遮断されると、その扉が動物の脱走防止のために重かったり、落下状態でロックされていたりして開けられず、発見されるまで長時間にわたって捕獲ケージ内に閉じ込められてしまうことがあった。
【考案の開示】
【考案が解決しようとする課題】
【０００４】
本考案は、上述の状況に鑑み、箱罠として、捕獲ケージ内に人が入った状態で誤って落下式扉が作動しても、容易に捕獲ケージ外へ脱出でき、もって閉じ込め事故を回避し得るものを提供することを目的としている。
【課題を解決するための手段】
【０００５】
上記目的を達成するために、請求項１の考案は、図面の参照符号を付して示せば、箱型の捕獲ケージ１の入口１０に落下式扉２を備え、該捕獲ケージ１内に入った動物Ａを落下式扉２の落下による入口１０の遮断によって捕獲するようにした箱罠Ｂ１，Ｂ２において、前記捕獲ケージ１の側壁部１ｂに緊急脱出用扉３Ａ〜３Ｈが設けられていることを特徴としている。
【０００６】
請求項２の考案は、上記請求項１に記載の箱罠Ｂ１，Ｂ２において、緊急脱出用扉３Ａ〜３Ｈがヒンジ３３を介して捕獲ケージ１の本体に枢着されてなるものとしている。
【０００７】
請求項３の考案は、上記請求項１又は２に記載の箱罠Ｂ１において、緊急脱出用扉３Ａ，３Ｄおよび３Ｈに捕獲ケージ１の本体に対して係脱するドアノブ型のロック具４を備え、そのノブ４１が該扉の少なくとも内面側に突設されてなる構成としている。
【０００８】
請求項４の考案は、上記請求項１又は２に記載の箱罠Ｂ２において、緊急脱出用扉３Ｂ，３Ｃおよび３Ｈに捕獲ケージ１の本体に対して係脱する閂型のロック具６が設けられてなる構成としている。                                −
【０００９】
請求項５の考案は、上記請求項１〜４のいずれかに記載の箱罠Ｂ１，Ｂ２において、前記緊急脱出用扉３Ａ，３Ｂは、その上辺部３０ａを中心に上向きに開放するようになっている構成としている。
【００１０】
請求項６の考案は、上記請求項１〜４のいずれかに記載の箱罠Ｂ１，Ｂ２において、前記緊急脱出用扉３Ｃ，３Ｆは、その下辺部３０ｂを中心に下向きに開放するようになっている構成としている。
【００１１】
請求項７の考案は、上記請求項１〜４のいずれかの箱罠Ｂ１，Ｂ２において、前記緊急脱出用扉３Ｄ，３Ｅ，３Ｇおよび３Ｈは、その左右いずれかの側辺部３０ｃ，３０ｄを中心に左右いずれか横向きに開放するようになっている構成としている
【考案の効果】
【００１２】
請求項１の考案に係る箱罠によれば、捕獲ケージの天井部に緊急脱出用扉が設けられていることから、捕獲ケージ内に人が入り込んだ状態で誤って落下式扉が作動しても、緊急脱出用扉から脱出できるため、長時間にわたって閉じ込められてしまうような危険性はない。
【００１３】
請求項２の考案によれば、緊急脱出用扉がヒンジを介して捕獲ケージの本体に枢着されているから、その扉開閉の操作が容易であり、子供や老人、女性のような非力な者でも該扉から簡単に脱出できる。
【００１４】
請求項３の考案によれば、緊急脱出用扉に設けたロック具がドアノブ型であるから、そのノブの形によって閉じ込められた者が緊急脱出用扉の存在に気付き易い上、ノブの回転によるロックの係脱であるため、人間にとっては容易に確実に操作できるが、例えばレバー型のように捕獲された動物が触れて偶然にロック解除されることはなく、該緊急脱出用扉から捕獲動物が逃げる懸念はない。
【００１５】
請求項４の考案によれば、緊急脱出用扉に設けたロック具が閂型であるから、構造的に簡素で安価に製作できると共に、緊急脱出用扉に対する取り付けも容易である。
【００１６】
請求項５〜７のいずれかの考案によれば、障害物等を避ける等の設置場所の条件に応じて、上向き、下向き、あるいは左右何れか横向きに開放する緊急脱出用扉３Ａ〜３Ｈを随時製造することができるから実用的である。
【考案を実施するための最良の形態】
【００１７】
以下、本考案に係る箱罠の実施形態について、図面を参照して具体的に説明する。図１〜図３は第一実施形態の箱罠Ｂ１、図４及び図５は第二実施形態の箱罠Ｂ２をそれぞれ示す。なお、第一及び第二実施形態で共通する部分については、同一符号を付している。
【００１８】
第一実施形態の箱罠Ｂ１は、横長箱形の捕獲ケージ１の前後両端部に入口１０を有しており、各入口１０には落下式扉２を昇降自在に嵌装した高い門型のガイド枠１１が設けてある。そして、各落下式扉２は、図示省略した係止機構によって常時はガイド枠１１の上部に保持されて入口１０を開放しているが、捕獲ケージ１に入ったイノシシ等の動物Ａが図示省略した作動部分に接触した際に、係止が外れて略同時に落下して両入口１０，１０を遮断するようになっている。
【００１９】
捕獲ケージ１の天井部１ａ及び左右側壁部１ｂ，１ｂと、前後両落下式扉２，２とは、矩形フレーム１２内に鋼棒等からなる縦横の金属棒材１３…，１４…を張設して面格子を構成している。そして、この捕獲ケージ１の左右いずれかの側壁部１ｂには、緊急脱出用扉３Ａが設けてある。
【００２０】
この緊急脱出用扉３Ａは、図２に示すように、矩形周枠３０の内側に縦横の金属棒材３１…，３２…を張設して面格子を構成しており、図３に示すように、ケージ中央側の上辺部３０ａに一体形成したヒンジ３３，３３により、捕獲ケージ１の面格子の金属棒材１２に枢着すると共に、下辺部３０ｂに設けた突縁部３４により、捕獲ケージ１の矩形フレーム１２の中桟部１２ａに掛止され、もって全体が捕獲ケージ１の側壁部１ｂと略面一になった状態で保持されるようになっている。
【００２１】
また、この緊急脱出用扉３Ａの下辺部３０ｂの中央位置には、建物の一般的な出入口扉に使用されるものと同様のドアノブ型のロック具４が取り付けられており、常時はそのロック片４０が内蔵するばねの付勢により、捕獲ケージ１の矩形フレーム１２の中桟部１２ａ内面側に設けた係止孔５に対して係合しているが、該下辺部３０ｂの内外両面側に突設されたノブ４１，４２のいずれか一方の捻回操作により、該ロック片４０が係止孔５から離脱する。従って、緊急脱出用扉３Ａは、ロック片４０の離脱状態でヒンジ３３，３３を中心として上方へ回動させることにより、図３の仮想線で示す開放状態になる。
【００２２】
上記構成の箱罠Ｂ１を仕掛ける際は、図１に示すように、両落下式扉２，２をガイド枠１１の上部に保持して両入口１０，１０を開放状態とし、捕獲ケージ１の内部にはイノシシ等の捕獲対象の動物Ａが好む餌を配置して入り込みを誘う。そして、捕獲ケージ１に入った動物が図示省略した作動部分に接触すれば、両落下式扉２，２が略同時に落下して両入口１０，１０を遮断し、もって動物Ａを捕獲ケージ１内に閉じ込めて捕獲する。
【００２３】
しかして、例えば、子供が開放した入口１０から捕獲ケージ１の中に入って遊んでいるうちに作動部分に接触したり、あるいは非力な老人や女性が餌の取替え等の捕獲ケージ１内での作業中に誤って作動部分に接触したりして、落下式扉２，２が落下して入口１０，１０を遮断されて閉じ込められても、緊急脱出用扉３Ａから容易に脱出できる。すなわち、捕獲ケージ１の内側から緊急脱出用扉３Ａの内側のノブ４１を捻回すれば、ロック片４０が捕獲ケージ１側の係止孔５から離脱するから、そのまま該扉３Ａをヒンジ３３を中心に外側上向きに押し上げて図３の仮想線の如く開放させ、もって捕獲ケージ１の側壁部１ｂに開いた開口部分から容易に外へ脱出できる。
【００２４】
また、緊急脱出用扉３Ａのロック具４はドアノブ型であるから、捕獲ケージ１内に閉じ込められた者がその内側のノブ４１を視認することで、容易に緊急脱出用扉３の存在に気付くと共に、建物における通常のドアと同様にノブ４１の捻回でロック解除し、且つ上方への回動で押し開く形であるため、誰でも簡単に開放操作できる。また、このドアノブ型のロック具４ではロック解除のためにノブ４１を捻回する必要があるため、捕獲された動物によって偶然にロック解除される可能性は皆無であり、従って該緊急脱出用扉３Ａから動物Ａが逃げ出す恐れはない。
【００２５】
更に、この実施形態では緊急脱出用扉３Ａの外側にもノブ４２を有するから、閉じ込められた者が幼児であったり痴呆症等でノブ４１を操作できない場合でも、他者が閉じ込めに気付いた場合、重い落下式扉２を開く代わりに、外部から緊急脱出用扉３Ａを開いて容易に救出できる。
【００２６】
第二実施形態の箱罠Ｂ２では、捕獲ケージ１の本体は前記第一実施形態と同様であるが、図４及び図５に示すように、その側壁部１ｂに矩形の金属板体３５からなる緊急脱出用扉３Ｂが設けてある。この緊急脱出用扉３Ｂは、前記第一実施形態の緊急脱出用扉３Ａと同様に、上辺部３０ａに一体形成したヒンジ３３，３３により、捕獲ケージ１の金属棒材１３に枢着すると共に、下辺部３０ｂに設けた突縁部３４により、矩形フレーム１２の中桟部１２ａに掛止され、全体が捕獲ケージ１の側壁部１ｂと略面一になった状態で保持される。
【００２７】
この緊急脱出用扉３Ｂの室内面側の中央位置には、金属板体３５にねじ止めされた上下一対のＵ字形保持金具６１，６１を介して閂型のロック具６が軸方向移動自在に取り付けられている。そして、このロック具６の前進位置では先端部６ａが捕獲ケージ１の矩形フレーム１２の中桟部１２ａ内面側に設けた係止孔７に嵌入し、該緊急脱出用扉３Ｂを開放不能にロックする一方、後退位置では図５の仮想線の如く先端部６ａが係止孔７から抜出し、もってロック解除された該緊急脱出用扉３Ｂをヒンジ３３，３３を中心として上方へ回動させて開放できる。
【００２８】
また、このロック具６は、中間部から上下両側へ分岐した把手６２，６３を有しており、室外側の把手６２が金属板体３５に設けた上下方向の長孔３６から室外側横向きに突出する一方、室内側の把手６３が捕獲ケージ１内で横向きになっており、長孔３６によって上下移動範囲が規制されている。
【００２９】
このような第二実施形態の箱罠Ｂ２は、前記第一実施形態の箱罠Ｂ１と同様に両落下式扉２，２をガイド枠１１の上部に保持して仕掛けるが、捕獲ケージ１内に人が入った状態で誤って落下式扉２，２が落下して閉じ込められても、緊急脱出用扉３Ｂから容易に脱出できる。すなわち、捕獲ケージ１の内側から緊急脱出用扉３Ｂのロック具６の把手６３をを持って後退方向へ移動させれば、その先端部６ａが捕獲ケージ１側の係止孔７から離脱するから、そのまま該扉３Ｂを押し上げて図５の仮想線の如く開放させ、もって捕獲ケージ１の側壁部１ｂに開いた開口部分から容易に外へ脱出できる。
【００３０】
また、このロック具６の把手６２，６３を目立つように黄色や赤等に着色したり、緊急脱出用扉３Ｂの下面に「脱出口」等と大きく表示しておけば、捕獲ケージ１内に閉じ込められた者が緊急脱出用扉３Ｂの存在に容易に気付くと共に、該ロック具６は閂型であるために誰でも簡単に開放操作できる。また、この緊急脱出用扉３Ｂにおいても、ロック具６の把手６２が外側にも突出しているから、閉じ込められた者が幼児であったり痴呆症等で該扉３Ｂを自分では開放操作できない場合でも、他者が閉じ込めに気付いた場合、重い落下式扉２を開く代わりに、外部から当該扉３Ｂを開いて容易に救出できる。
【００３１】
なお、本考案においては、捕獲ケージの本体に対して緊急脱出用扉を閉止状態に固定するロック具として、前記第一及び第二実施形態で例示したドアノブ型や閂型以外の種々形式のものを採用できる。しかして、前記第二実施形態で採用した閂型のロック具６は、第一実施形態で採用したドアノブ型のロック具４に比較し、構造的に簡素であるから、安価に製作あるいは入手できると共に、緊急脱出用扉に対する取り付けを容易に行えるという利点がある。
【００３２】
捕獲ケージ１は高さが１１０ｃｍ程度とすれば、設置面から５０ｃｍ程度のところに緊急脱出用扉の下辺部３０ｂが位置することが脱出しやすく、また、緊急脱出用扉３Ａ，３Ｂは大人一人が脱出することができる程度の大きさであればよく、通常は縦横４０〜６０ｃｍ程度とするのがよい。
【００３３】
落下式扉２をガイド枠１１の上部に保持するための係止機構、ならびに動物Ａが触れた際に該落下式扉２を落下させるための作動部分の構造については、従来より箱罠に採用されている種々の方式・構造を利用できる。例えば、捕獲ケージ１内に配置したロッドやロープ、ワイヤー等を動物Ａが足や身体で引っ掛けたり、あるいは吊り下げた餌に動物Ａが食いついて引っ張ることにより、落下式扉２の係止が外れるようにすればよい。
【００３４】
捕獲ケージ１の底面部について前記実施形態では開放状態としているが、天井部１ａや両側壁部１ｂ，１ｂと同様の面格子構造としてもよい。また、本考案は片側のみに入口を有する捕獲ケージ１にも同様に適用可能である。更に、本考案においては、捕獲ケージ１のフレーム構造、側壁部１ｂにおける緊急脱出用扉の取付位置、その取付部分のフレーム構造等についても、例示以外に種々設定可能である。
【００３５】
例えば、緊急脱出用扉の取付位置に関し、図６の（ａ）に示すように、緊急脱出用扉３Ｃの下辺部３０ｂがヒンジ３３を介して金属横棒１３に枢着され、上辺部３０ａにドアノブ型のロック具４が設けられ、緊急脱出用扉３Ｃが下辺部３０ｂを中心に下向きに開放するようにしてもよい。
【００３６】
また、図６の（ｂ）に示すように、緊急脱出用扉３Ｄの右側辺部３０ｃがヒンジ３３を介して金属縦棒１４に枢着され、左側辺部３０ｄにドアノブ型のロック具４が設けられ、緊急脱出用扉３Ｄが右側辺部３０ｃを中心に右方向横向きに開放するようにしてもよい。
【００３７】
また、図６の（ｃ）に示すように、緊急脱出用扉３Ｅの左側辺部３０ｄがヒンジ３３を介して金属縦棒１４に枢着され、右側辺部３０ｃにドアノブ型のロック具４が設けられ、緊急脱出用扉３ｄが左側辺部３０ｂを中心に左方向横向きに開放するようにしてもよい。
【００３８】
また、図７の（ａ）に示すように、緊急脱出用扉３Ｆの下辺部３０ｂがヒンジ３３を介して金属横棒１３に枢着され、上辺部３０ａに閂型のロック具６が設けられ、緊急脱出用扉３Ｆが下辺部３０ｂを中心に下向きに開放するようにしてもよい。
【００３９】
また、図７の（ｂ）に示すように、緊急脱出用扉３Ｇの右側辺部３０ｃがヒンジ３３を介して金属縦棒１４に枢着され、左側辺部３０ｄに閂型のロック具６が設けられ、緊急脱出用扉３Ｇが右側辺部３０ｃを中心に右方向横向きに開放するようにしてもよい。
【００４０】
また、図７の（ｃ）に示すように、緊急脱出用扉３Ｈの左側辺部３０ｄがヒンジ３３を介して金属縦棒１４に枢着され、右側辺部３０ｃに閂型のロック具６が設けられ、緊急脱出用扉３Ｈが左側辺部３０ｂを中心に左方向横向きに開放するようにしてもよい。
【図面の簡単な説明】
【００４１】
【図１】本考案の第一実施形態に係る箱罠全体を示す一部破断斜視図である。
【図２】同箱罠の平面図である。
【図３】同箱罠の緊急脱出用扉部分の縦断側面図である。
【図４】本考案の第二実施形態に係る箱罠の緊急脱出用扉部分の下面図である。
【図５】同緊急脱出用扉部分の縦断側面図である。
【図６】（ａ）〜（ｃはドアノブ形ロック具を備えた緊急脱出用扉３Ｃ〜３Ｅの捕獲ケージに対する開放方向の変形例を示す側面図である。
【図７】（ａ）〜（ｃは閂形ロック具を備えた緊急脱出用扉３Ｆ〜３Ｈの捕獲ケージに対する開放方向の変形例を示す側面図である。
【符号の説明】
【００４２】
１          捕獲ケージ
１ａ        天井部
１０        入口
２          落下式扉
３Ａ〜３Ｈ  緊急脱出用扉
３３        ヒンジ
４          ドアノブ型のロック具
４１，４２  ノブ
６          閂型のロック具
Ａ          動物
Ｂ１，Ｂ２  箱罠
【図１】
0003117757.tif 000003
【図２】
0003117757.tif 000004
【図３】
0003117757.tif 000005
【図４】
0003117757.tif 000006
【図５】
0003117757.tif 000007
【図６】
0003117757.tif 000008
【図７】
0003117757.tif 000009